【手続補正書】
【提出日】平成17年2月2日(2005.2.2)
【手続補正１】
【補正対象書類名】明細書
【補正対象項目名】発明の名称
【補正方法】変更
【補正の内容】
【発明の名称】情報記憶媒体カートリッジ
【手続補正２】
【補正対象書類名】明細書
【補正対象項目名】特許請求の範囲
【補正方法】変更
【補正の内容】
【特許請求の範囲】
【請求項１】
情報記憶媒体と、
上記情報記憶媒体が回動自在に収納される情報記憶媒体収容室が内部に形成されると共に、平面部に上記情報記憶媒体の情報記憶面の一部を露出させる開口窓が形成されたカートリッジ筐体と、
上記カートリッジ筐体の上記平面部に沿って回動可能に設けられ、上記開口窓を開閉する開閉扉と、
から構成される情報記憶媒体カートリッジ。
【請求項２】
上記カートリッジ筐体は、一対のシェルを重ね合わせることにより内部に情報記憶媒体収容室を形成し、
上記一対のシェルのうち一方のシェルは、互いに重ね合わされる一対のシェル板からなり、当該一対のシェル板には開口窓を互いに対応させてそれぞれ設けると共に、両シェル板間に上記開閉扉を回動自在に介在させたことを特徴とする請求項１記載の情報記憶媒体カートリッジ。
【請求項３】
上記情報記憶媒体の中央部にはセンタ穴を設けると共に、当該情報記憶媒体を支持可能なナット部材をセンタ穴に回動自在に嵌合して設け、当該ナット部材を上記開閉扉と回動方向に一体としつつ当該回動方向と直交する方向に移動可能に連結し、更に、ナット部材には上記一対のシェルのうち一方のシェルの中央部に設けたネジ軸部を螺合させると共に、当該ネジ軸部のネジの巻方向を、開閉扉が上記開口窓から離れる方向へ移動するときにナット部材と一方のシェルとが互いに離反する方向へ移動するように設定したことを特徴とする請求項１記載の情報記憶媒体カートリッジ。
【請求項４】
上記カートリッジ筐体には、上記開口窓を閉じた位置で上記開閉扉をロックするロック機構を設けたことを特徴とする請求項１記載の情報記憶媒体カートリッジ。
【請求項５】
上記ロック機構は、上記開閉扉の一端に設けられたロックピンを係止する第１のロック機構と、上記開閉扉の他端に設けられたロック爪を係止する第２のロック機構との少なくとも一方を有することを特徴とする請求項４記載の情報記憶媒体カートリッジ。
【請求項６】
上記第１のロック機構は、上記カートリッジ筐体の外部に露出させて設けた上記ロックピンと、上記カートリッジ筐体に回動自在に取り付けられたロックアームと、当該ロックアームをロックピン側に付勢する弾性体とからなることを特徴とする請求項５記載の情報記憶媒体カートリッジ。
【請求項７】
上記第２のロック機構は、上記ロック爪を着脱可能に係止する係止片を設けた弾性部材を有し、当該弾性部材には上記カートリッジ筐体の外部に突出する入力片を設け、当該入力片を入力部として弾性部材を弾性変形させてロック爪の着脱動作を行うようにしたことを特徴とする請求項５記載の情報記憶媒体カートリッジ。
【請求項８】
上記ロック機構は、上記開閉扉の一端に設けられたロックバンドを係止する係止爪を設けた係止部材と、この係止部材をロックバンド側に付勢する弾性体とを有する第３のロック機構からなることを特徴とする請求項４記載の情報記憶媒体カートリッジ。
【請求項９】
上記開閉扉は、上記開口窓を開閉するシャッタ片と、当該シャッタ片から連続して形成されるアーム片とから構成され、当該アーム片の先端部が上記カートリッジ筐体の後半部の角部に回動可能に取り付けられていることを特徴とする請求項１記載の情報記憶媒体カートリッジ。
【請求項１０】
上記開口窓は、上記カートリッジ筐体の前半部に形成されることを特徴とする請求項１記載の情報記憶媒体カートリッジ。
【手続補正３】
【補正対象書類名】明細書
【補正対象項目名】０００１
【補正方法】変更
【補正の内容】
【０００１】
【発明の属する技術分野】
本発明は、光ディスクや光磁気ディスク等の情報記憶媒体がカートリッジ筐体内に回転自在に収容された情報記憶媒体カートリッジに関し、特に、保存状態において微小のゴミがカートリッジ筐体内に侵入するのを効果的に抑制することができる情報記憶媒体カートリッジに関する。
【手続補正４】
【補正対象書類名】明細書
【補正対象項目名】０００２
【補正方法】変更
【補正の内容】
【０００２】
【従来の技術】
従来、一般に、音声、映像或いはコンピュータのデータ等の情報の記録及び／又は再生が可能な情報記憶媒体がカートリッジ筐体内に回転自在に収容された情報記憶媒体カートリッジとしては、例えば、図１５に示すような構成のものが知られている。この情報記憶媒体カートリッジは、コンピュータのデータ等の情報を使用者が後から記録書き込みできる追記形光磁気ディスクＤを内蔵しているディスクカートリッジ１であり、図１５のような外観形状を有している。
【手続補正５】
【補正対象書類名】明細書
【補正対象項目名】００１０
【補正方法】変更
【補正の内容】
【００１０】
【課題を解決するための手段】
本発明は、上述したような課題を解決し、上記目的を達成するために、情報記憶媒体と、情報記憶媒体が回動自在に収納される情報記憶媒体収容室が内部に形成されると共に、平面部に情報記憶媒体の情報記憶面の一部を露出させる開口窓が形成されたカートリッジ筐体と、カートリッジ筐体の平面部に沿って回動可能に設けられ、開口窓を開閉する開閉扉と、から構成されることを特徴としている。
【手続補正６】
【補正対象書類名】明細書
【補正対象項目名】００１４
【補正方法】変更
【補正の内容】
【００１４】
情報記憶媒体カートリッジの一具体例を示す第１の実施の例に係るディスクカートリッジ１０は、情報記憶媒体の一具体例として記録再生両用の光ディスク１１を使用したものである。図１及び図２において下面側を上にして示すように、このディスクカートリッジ１０は、一対の上シェル１３及び下シェル１４を重ね合わせることによって形成されるカートリッジ筐体１２と、このカートリッジ筐体１２内に形成された情報記憶媒体収容室であるディスク収容室１５内に回転自在に収容される光ディスク１１と、下シェル１４に形成された開口窓１６を開閉できる開閉扉１７等を備えている。
【手続補正７】
【補正対象書類名】明細書
【補正対象項目名】００１５
【補正方法】変更
【補正の内容】
【００１５】
上シェル１３は、前半部である前半分が略半円形をなし且つ後半部である後半分が略四角形をなしていて適当な厚みを有する板状体からなり、その内面には円形の凹陥部からなるディスク収容室１５が設けられている。この上シェル１３の前半分（前半部）は、図３〜図６に示すように、前後方向と直交する方向である幅方向の略中央部から一側に設けた中央中心円弧部１３ａと、同じく幅方向の略中央部から他側に設けた後部中心円弧部１３ｂとからなっている。この上シェル１３の前半分（前半部）の中央中心円弧部１３ａの円弧中心はディスク収容室１５の略中央部に設定されている一方、後部中心円弧部１３ｂの円弧中心は後半分（後半部）の後部角部の近傍に設定されていて、この後部中心円弧部１３ｂによって後述する開閉扉１７のロックピンをガイドするように構成している。
【手続補正８】
【補正対象書類名】明細書
【補正対象項目名】００４２
【補正方法】変更
【補正の内容】
【００４２】
これと連動するように、第２のロック解除機構の操作ピン４８が後退すると、板バネ体４３の弾性変形が解消されて元の状態に復帰するため、そのロック片４４が開閉扉１７のロック爪１７ｃ内に入り込む。これにより、第２のロック機構による開閉扉１７の１段目のロック状態が確保される。これと同様に、第１のロック解除機構のアーム部材によるロックアーム４０の規制が解除されるため、捩りバネ４１のバネ力によりロックアーム４０が元の状態に戻される。その結果、ロックアーム４０のロック爪４０ｂがロックピン３１に係合され、これにより、第１のロック機構による開閉扉１７の２段目のロック状態が確保される。
【手続補正９】
【補正対象書類名】明細書
【補正対象項目名】００４５
【補正方法】変更
【補正の内容】
【００４５】
上シェル５３は、前半部である前半分が半円形をなし且つ後半部である後半分が四角形をなす比較的肉厚の薄い板状体からなり、その内面の略中央部には下向きに突出されたネジ軸部５８が設けられている。また、下シェル５４は、同じく前半分（前半部）が半円形をなし且つ後半分（後半部）が四角形をなしていて適当な厚みを有する平面部としての板状体からなり、その内面には円形の凹陥部からなるディスク収容室５５が設けられている。そして、下シェル５４の幅方向の両側面部には、ディスク記録再生装置に装着する際の位置決めや誤挿入防止等の役割を果たすガイド溝６０，６１がそれぞれ前後方向に延在させて設けられている。